(57)【要約】【課題】走行機体２に装着のモア装置８で刈り取った刈取草を前記集草ボックス１０内に導くための排出ダクト１２の底面を，前記集草ボックス側の出口側底面板１８と，前記モア装置側の入口側底面板１９とで形成し，これら出口側底面板と入口側底面板との相互間を，これらが同時にはね上げ回動するようにリンク杆にて連結する場合に，前記リンク杆が，前記排出ダクト内における刈取草の流れの妨げになることを回避する。【解決手段】    前記リンク杆２７ａ，２７ｂを，前記出口側底面板１８及び前記入口側底面板１９の左右両側面のうち少なくとも一方の側面と前記排出ダクト１２における側面板１４ａ，１４ｂとの間に形成した隙間２６ａ，２６ｂに配設する。【選択図】図４
2011147388.tif 000002
【特許請求の範囲】
【請求項１】
走行機体に，モア装置と集草ボックスとを備えるとともに，前記モア装置にて刈り取った刈取草を前記集草ボックス内に導くための排出ダクトを備えて成り，前記排出ダクトの底面を，前記集草ボックス側の出口側底面板と，前記モア装置側の入口側底面板とで形成し，前記出口側底面板及び前記入口側底面板を，その集草ボックス側の端部を中心にしてはね上げ回動するように枢着し，これら出口側底面板と入口側底面板との相互間を，これらが同時に回動するようにリンク杆にて連結して成る走行型芝刈機において，
前記リンク杆を，前記出口側底面板及び前記入口側底面板の左右両側面のうち少なくとも一方の側面と前記排出ダクトにおける側面板との間に形成した隙間に，前記出口側底面板及び前記入口側底面板の側面に沿って延びるように配設したことを特徴とする走行型芝刈機。
【請求項２】
前記請求項１の記載において，前記リンク杆を，前記隙間を平面視において塞ぐという構成にしたことを特徴とする走行型芝刈機。
【発明の詳細な説明】
【技術分野】
【０００１】
本発明は，走行機体に，地面に植立する芝草を刈り取るためのモア装置を装着して成る走行型の芝刈機に関するものである。
【背景技術】
【０００２】
一般に，この種の走行型芝刈機においては，従来から良く知られているように，走行機体に，少なくとも地面に植立する芝草を刈り取るためのモア装置と，集草ボックスと，排出ダクトとを備えて成り，前記集草ボックスを，前記モア装置で刈り取った刈取草を前記排出ダクトを介して受け入れる姿勢と，その内部に受け入れた刈取草を放出する姿勢とに選択的に作動する構成にしている。
【０００３】
先行技術としての特許文献１は，前記した走行型芝刈機において，その排出ダクトの底面を，前記集草ボックス側に位置する出口側底面板と，前記モア装置側に位置する入口側底面板とで形成し，前記出口側底面板を，その集草ボックス側の端部を中心にしてはね上げ回動すると，これに連動して前記入口側底面板が，その集草ボックス側の端部を中心にしてはね上げ回動するように構成することを提案している。
【先行技術文献】
【特許文献】
【０００４】
【特許文献１】特開２００６−２３８７９９号公報
【発明の概要】
【発明が解決しようとする課題】
【０００５】
この特許文献１の構成によると，前記出口側底面板及び入口側底面板を，横向きに倒した状態にしたとき，前記モア装置から排出される刈取草は，これら出口側底面板及び入口側底面板の上面を前記集草ボックスに向かって流れて，前記集草ボックス内に受け入れられる。
【０００６】
また，前記出口側底面板及び入口側底面板を，はね上げ回動すると，前記モア装置から排出される刈取草は，前記出口側底面板及び入口側底面板のはね上げ回動により，前記集草ボックス内に受け入れられることなく，前記排出ダクトの底から放出され地面に直接に散布される。
【０００７】
これにより，刈取草を集草ボックス内に受け入れる場合と，地面に直接に散布する場合とに選択的に切り換えることができる。
【０００８】
この場合，前記特許文献１は，前記出口側底面板及び前記入口側底面板における下面のうち幅方向の中央部分に，リンク杆を排出ダクトの長手方向に延びるように配設し，このリンク杆の基端を前記出口側底面板の下面に，先端を前記入口側底面板の下面に各々ピン枢着することにより，前記出口側底面板のはね上げ回動に連動して前記入口側底面板がはね上げ回動するという構成にしている。
【０００９】
しかし，この構成にするには，前記入口側底面板のうち前記リンク杆に該当する部分に，当該入口側底面板がはね上げ回動したとき前記リンク杆が嵌まる切欠溝を設けて，前記入口側底面板のはね上げ回動を許容するようにしなければならない。
【００１０】
つまり，前記特許文献１の構成では，前記入口側底面板には，その幅方向の中央部分に切欠溝を設けることが必要であり，この切欠溝は，前記入口側底面板を横向きに倒した状態において前記リンク杆に設けた蓋板にて塞がれてはいるものの，これら切欠溝及び蓋板の部分には，前記入口側底面板及び出口側底面板の上面を前記集草ボックスに向かって流れる刈取草が引っ掛かることになるから，この部分に刈取草の詰まりが発生するという問題があった。
【００１１】
本発明は，この問題を解消した芝刈機を提供することを技術的課題としている。
【課題を解決するための手段】
【００１２】
この技術的課題を達成するため請求項１は，
「走行機体に，モア装置と集草ボックスとを備えるとともに，前記モア装置にて刈り取った刈取草を前記集草ボックス内に導くための排出ダクトを備えて成り，前記排出ダクトの底面を，前記集草ボックス側の出口側底面板と，前記モア装置側の入口側底面板とで形成し，前記出口側底面板及び前記入口側底面板を，その集草ボックス側の端部を中心にしてはね上げ回動するように枢着し，これら出口側底面板と入口側底面板との相互間を，これらが同時に回動するようにリンク杆にて連結して成る走行型芝刈機において，
前記リンク杆を，前記出口側底面板及び前記入口側底面板の左右両側面のうち少なくとも一方の側面と前記排出ダクトにおける側面板との間に形成した隙間に，前記出口側底面板及び前記入口側底面板の側面に沿って延びるように配設した。」
ことを特徴としている。
【００１３】
また，請求項２は，
「前記請求項１の記載において，前記リンク杆を，前記隙間を平面視において塞ぐという構成にした。」
ことを特徴としている。
【発明の効果】
【００１４】
請求項１によると，入口側底面板と出口側底面板との相互間を連結するリンク杆は，前記入口側底面板及び出口側底面板における側面と，排出ダクトにおける側面板との間に形成した隙間に配設されていることにより，前記特許文献１のように，幅方向の中央部分に切欠溝等を設ける必要がなくなる。
【００１５】
これにより，前記入口側底面板及び出口側底面板の上面には，刈取草が引っ掛かるものは存在せずに，刈取草の流れが円滑になるから，排出ダクトに刈取草の詰まりが発生することを確実に低減できる。
【００１６】
また，請求項２によると，前記入口側底面板及び出口側底面板の上面を流れる刈取草が，これら入口側底面板及び出口側底面板の側面と排出ダクトの側面板との間における隙間から零れ落ちることを，前記リンク杆によって確実に阻止することができる。
【図面の簡単な説明】
【００１７】
【図１】走行型芝刈機の側面図である。
【図２】走行型芝刈機の平面図である。
【図３】図２のIII −III 視拡大断面図である。
【図４】図３のIV−IV視平断面図である。
【図５】図３のＶ−Ｖ視断面図である。
【図６】図３のVI−VI視断面図である。
【図７】図４のVII −VII 視拡大断面図である。
【図８】図７の作動状態を示す図である。
【発明を実施するための形態】
【００１８】
以下，本発明における実施の形態を，図１〜図８の図面について説明する。
【００１９】
これらの図面は，走行型芝刈機１を示している。
【００２０】
この走行型芝刈機１は，左右の前輪３及び後輪４にて支持されて走行する走行機体２を備え，この走行機体２は，その上面に前から順番にエンジン５，操縦ハンドル６及び操縦座席７が設けられ，前記前輪３及び後輪４のうちいずれか一方又は両方を前記エンジン５にて回転駆動することにより，適宜速度で走行するように構成されている。
【００２１】
また，前記走行機体２のうち前記前輪３と前記後輪４との間には，前記エンジン５からの動力伝達にて駆動されるモア装置８が配設され，このモア装置８は，前記走行機体２に昇降用リンク機構９により，地面３２に対して一定の姿勢を保った状態で，後方に向かって斜め上向きの傾斜に沿って昇降動するように吊設されている。
【００２２】
一方，前記走行機体２のうち前記後輪４よりも後部には，集草ボックス１０が，後方に向かってはね上げ回動するようにピン軸１１にて枢着されている。
【００２３】
更にまた，前記走行機体２における下面には，前記モア装置８で刈り取った刈取草を前記集草ボックス１０内に導くための排出ダクト１２が，前記両後輪４の間を後方に延びるように設けられている。
【００２４】
前記集草ボックス１０は，前記走行機体２に対してピン軸１１にて自在に回動するように装着されており，図１に実線で示す位置にあるとき，つまり，前記排出ダクト１２に接続された状態にあるときには，その内部に，前記排出ダクト１２から後方に放出される刈取草を受け入れ，そして，受け入れた刈取草が所定量になると，二点鎖線で示すように，前記ピン軸１１を中心にして，前記排出ダクト１２から離れるように後方にはね上げ回動することにより，その内部に溜めた刈取草を放出するという構成になっている。
【００２５】
なお，前記集草ボックス１０を刈取草の受け入れ姿勢と地面への放出姿勢とに選択的に切り換えることは，図示していない油圧機構を前記走行機体２に設けた姿勢レバー３３によって切り換え作動することによって行なうように構成している。
【００２６】
なお，前記集草ボックス１０を刈取草の地面への放出姿勢とするようにはね上げ回動することは，前記油圧機構の突出動による前記集草ボックス１０の押し上げにて行なう一方，前記集草ボックス１０を刈取草の受け入れ姿勢に戻すことは，前記油圧機構の後退動に伴い，前記集草ボックス１０がその重量で下向きに回動することによって行なうようにしている。
【００２７】
前記排出ダクト１２は，天井板１３と，この天井板１３の左右両側から垂下する左右一対の側面板１４ａ，１４ｂとによって，底を開放した下向きのコ字状断面に構成されている。
【００２８】
また，前記排出ダクト１２における両側面板１４ａ，１４ｂの内側のうち前記モア装置８側の部分には，前記両側面板１４ａ，１４ｂと平行にした可動式の内側面板１５ａ，１５ｂが，前記モア装置８における刈取草排出口８ａに向かって延びるように配設され，この両内側面板１５ａ，１５ｂのうち前記集草ボックス１０側の基端部（後端部）は，前記排出ダクト１２における両側面板１４ａ，１４ｂに，ピン１６ａ，１６ｂにて回転自在に枢着されている一方，前記両内側面板１５ａ，１５ｂのうち前記モア装置８側の先端部（前端部）は，前記モア装置８に対する昇降リンク機構９にリンク１７ａ，１７ｂを介して連結されている。
【００２９】
前記排出ダクト１２の底面は，前記集草ボックス１０側に位置する出口側底面板１８と，前記モア装置８側に位置する入口側底面板１９とで塞ぐように構成されている。
【００３０】
前記出口側底面板１８は，当該出口側底面板１８のうち集草ボックス１０側の基端部（後端部）を前記排出ダクト１２の後端下部に軸支した横軸２０に固着することにより，前記横軸２０の回動にて上向きにはね上げ回動するように取付けられている。
【００３１】
前記横軸２０は，前記集草ボックス１０に連杆２１を介して連結されており，これにより，前記出口側底面板１８は，前記集草ボックス１０が図１に実線で示す刈取草の受け入れ姿勢にあるときには，図３に実線で示すように，前向きに倒れた姿勢になっているが，前記集草ボックス１０が図１に二点鎖線で示す刈取草の放出姿勢になると，図３に二点鎖線で示すように，上向きにはね上げ回動するように構成されている。
【００３２】
一方，前記入口側底面板１９は，当該入口側底面板１９のうち前記集草ボックス１０側の基端部（後端部）を前記両内側面板１５ａ，１５ｂにピン２２にて回転自在に枢着することにより，上向きにはね上げ回動するように構成されている。
【００３３】
前記入口側底面板１９のうち前記モア装置８側の先端部（前端部）１９ａは，前方のモア装置８に向かって斜め下向きの傾斜に折り曲げられ，そして，この先端部１９ａは，前記モア装置８における刈取草排出口８ａの内部における底部に差し込み挿入されており，その先端部１９ａの下面に設けたカム２３が前記刈取草排出口８ａの底部に設けた横バー式の支持部材２４に載っている。
【００３４】
これにより，前記入口側底面板１９は，前記モア装置８側における前記支持部材２４にて，前後方向に自在に移動するように支持されており，この状態から上向きにはね上げ回動する。
【００３５】
一方，前記モア装置８が，その昇降用リンク機構９にて斜め後方に向かって地面３２から離れるように上昇動すると，当該モア装置８と，前記両内側面板１５ａ，１５ｂ，ひいては，前記入口側底面板１９とが互いに接近動することにより，前記入口側底面板１９の先端部１９ａにおける前記刈取草排出口８ａ内への差し込み寸法（Ｌ）が，前記モア装置８の上昇動につれて，図７及び図８に示すように，最下降位置の（Ｌ１）から上昇位置の（Ｌ２）に大きくなるという構成になっている。
【００３６】
この場合，前記モア装置８における刈取草排出口８ａの底部に設けた支持部材２４には，前記モア装置８が最下降位置にあるときには，図７に示すように，前記入口側底面板１９における先端１９ａの下面に設けたカム２３における平面２３ａが載る状態にあるが，前記モア装置８が地面３２から離れるように上昇動したときには，図８に示すように，前記カム２３における傾斜面２３ｂが載る状態になるという構成になっている。
【００３７】
前記出口側底面板１８のうち前記モア装置８側の先端部（前端部）は，当該出口側底面板１８が前向きに倒れた姿勢にあるとき，前記入口側底面板１９のうち前記集草ボックス１０側の基端部（後端部）に設けたストッパー片２５ａ，２５ｂに載った状態に支持されており，この状態からはね上げ回動する。
【００３８】
そして，前記出口側底面板１８及び前記入口側底面板１９における左右両側面と，前記排出ダクト１２における両側面板１４ａ，１４ｂ及び両内側面板１５ａ，１５ｂとの間の各々には，隙間２６ａ，２６ｂが前後方向に延びるように形成され，この隙間２６ａ，２６ｂ内には，帯状板にて構成したリンク杆２７ａ，２７ｂが，前記出口側底面板１８及び前記入口側底面板１９における左右両側面と平行に延びるように配設されている。
【００３９】
前記両リンク杆２７ａ，２７ｂのうち前記集草ボックス１０側の基端（後端）は，前記出口側底面板１８のうち中程部の側面にピン２８ａ，２８ｂにて回動自在に枢着されている。
【００４０】
一方，前記両リンク杆２７ａ，２７ｂのうち前記モア装置８側の先端（前端）は，前記入口側底面板１９のうち中程部の側面にピン２９ａ，２９ｂにて回動自在に枢着されており，これにより，前記出口側底面板１８がはね上げ回動するとこれに連動して前記入口側底面板１９がはね上げ回動し，前記出口側底面板１８が前向きに倒れ回動するとこれに連動して前記入口側底面板１９が前向きに倒れ回動するように構成されている。
【００４１】
また，前記入口側底面板１９と前記両リンク杆２７ａ，２７ｂとを連結する枢着ピン２９ａ，２９ｂが嵌まるピン孔２９ａ′，２９ｂ′を，図７及び図８に示すように，長溝孔にすることにより，前記入口側底面板１９が，前記モア装置８の昇降動に連動して上下回動することを許容するという構成にしている。
【００４２】
なお，前記出口側底面板１８及び前記入口側底面板１９とを連結するリンク杆は，これらにおける左右両側面の両方に設けることに限らず，前記出口側底面板１８及び前記入口側底面板１９における左右両側面のうち一方の側面にのみ設けるという構成にできる。
【００４３】
この構成によると，前記集草ボックス１０を，図１に実線で示す刈取草の受け入れ姿勢にすると，前記排出ダクト１２の底面を形成する入口側底面板１９及び出口側底面板１８が，リンク杆２７ａ，２７ｂを介して互いに連動しながら，同時に前向きに倒れ回動するから，前記モア装置８において刈り取った刈取草は，前記入口側底面板１９及び出口側底面板１８の上面を後方に流れて，前記集草ボックス１０に受け入れられることになる。
【００４４】
また，前記集草ボックス１０を，図１に二点鎖線で示す刈取草の放出姿勢にすると，前記入口側底面板１９及び出口側底面板１８が，リンク杆２７ａ，２７ｂを介して互いに連動しながら，同時に上向きにはね上げ回動するから，前記モア装置８において刈り取った刈取草は，前記集草ボックス１０に入ることなく，前記排出ダクト１２の底から地面３２に直接に放出されることになる。
【００４５】
また，前記入口側底面板１９及び出口側底面板１８のはね上げ回動により，これら入口側底面板１９及び出口側底面板１８の上面に堆積する刈取草を当該上面から確実に排除することができる。
【００４６】
前記出口側底面板１８と前記入口側底面板１９との相互間を連結する前記リンク杆２７ａ，２７ｂは，前記出口側底面板１８及び入口側底面板１９の側面と，前記排出ダクト１２における左右側面板１４ａ，１４ｂ及び左右両内側面１５ａ，１５ｂとの間に形成した隙間２６ａ，２６ｂ内に配設されていることにより，前記入口側底面板１９及び出口側底面板１８の上面における刈取草の流れを妨げることはなく，換言すると，前記入口側底面板１９及び出口側底面板１８の上面には刈取草が引っ掛かるものは存在しないから，刈取草の後方への流れが円滑になる。
【００４７】
そして，前記リンク杆２７ａ，２７ｂは，平面視（図４）において，前記隙間２６ａ，２６ｂを，その略全長にわたって塞ぐという構成になっている。
【００４８】
これにより，前記入口側底面板１９及び出口側底面板１８の上面を流れる刈取草が，前記隙間２６ａ，２６ｂから零れ落ちることを，前記リンク杆２７ａ，２７ｂによって確実に阻止することができる。
【００４９】
図示の実施の形態においては，前記リンク杆２７ａ，２７ｂを，その上端縁に外向きへの折り曲げ片２７ａ′，２７ｂ′を設けて，く字状の断面に構成することに加えて，このリンク杆２７ａ，２７ｂの基端に，前記出口側底面板１８への枢着ピン２８ａ，２８ｂより後方への延長部２７ａ″，２７ｂ″を設けることにより，前記隙間２６ａ，２６ｂをその略全長にわたって塞ぐという構成にしている。
【００５０】
この図示の実施の形態によると，前記リンク杆２７ａ，２７ｂをく字状断面に構成したことにより，強度を向上しながら軽量化できる利点がある。
【００５１】
また，他の実施の形態においては，図示以外の構成にて，前記隙間２６ａ，２６ｂをその略全長にわたって塞ぐように構成することもできる。
【００５２】
前記入口側底面板１９のうち前記モア装置８側の先端部（前端部）１９ａは，斜め下向きの傾斜に折り曲げられた上でモア装置８における刈取草排出口８ａ内の底部に差し込み挿入されており，この状態で前記モア装置８の上昇動に連動して，その間に高さ位置の相対的なずれを生じることなく，換言すると，前記モア装置８と一定の高さ位置を保持したままで上下動する。
【００５３】
これにより，前記モア装置８における刈取草排出口８ａから排出される刈取草を，前記モア装置８の昇降動にかかわらず，換言すると，前記モア装置８がどのような高さ位置にあっても，前記排出ダクト１２内に前記入口側底面板１９を介して零すことなく確実に受け継ぐことができる。
【００５４】
そして，前記入口側底面板１９は，前記モア装置８を上昇動したとき，その下面に設けたカム２３における平面２３ａが支持部材２４に載る状態から，図８に示すように，前記カム２３における傾斜面２３ｂが支持部材２４に載る状態に移動することにより，その先端部１９ａを斜め下向きに傾斜する姿勢に保持することができるから，刈取草を排出ダクト１２内に受け継ぐことができる。
【００５５】
すなわち，前記カム２３を，平面２３ａのみを有し，傾斜面２３ｂを有しない構成にした場合，前記モア装置８の上昇動による前記入口側底面板１９の上向きへの回動角度が，前記傾斜面２３ｂを有する場合に比べて大きくなる。
【００５６】
これにより，この入口側底面板１９の先端部１９ａにおける斜め下向きの傾斜に折り曲げた部分が，前記モア装置８を上昇動するにつれて，次第に水平に近づくようになるから，前記モア装置８における刈取草の前記入口側底面板１９による排出ダクト１２内への受け継ぎ誘導性が低下することになる。
【００５７】
これに対して，前記カム２３に平面２３ａと傾斜面２３ｂとの両方を設ける構成にした場合には，前記モア装置８の上昇動による前記入口側底面板１９の上向きへの回動角度が，前記モア装置８側の支持部材２４への前記カム２３の接当が図８に示すように平面２３ａから傾斜面２３ｂに移動する分だけ小さくなり，この入口側底面板１９の先端部１９ａにおける斜め下向きの傾斜に折り曲げた部分が水平に近づくように小さくなる度合いを大幅に低減できるから，前記モア装置８における刈取草の前記入口側底面板１９による排出ダクト１２内への受け継ぎ誘導性を向上できる。
【００５８】
前記図示の実施の形態においては，前記集草ボックス１０のはね上げ回動と，これに連動した前記両底面板１８，１９のはね上げ回動とを，前記油圧切換操作レバー３３にて行なうように構成している。
【００５９】
また，他の実施の形態においては，前記油圧切換操作レバー３３とは別に（これに加えて），手動操作レバー３１を，前記走行機体２における前記操縦座席７の右側の部位に前方に延びるように設け，この手動操作レバー３１を手動にて上向きに回動操作することによって，前記両底面板１８，１９のはね上げ回動，或いは，前記集草ボックス１０及び前記両底面板１８，１９のはね上げ回動を，前記油圧切換操作レバー３３に優先して行なうように構成することができる。
【００６０】
なお，かかる構成にする場合，前記手動操作レバー３１は，前記油圧切換操作レバー３３の操作による前記両底面板１８，１９のはね上げ回動，或いは，前記集草ボックス１０及び前記両底面板１８，１９のはね上げ回動には連動して回動しないように構成することが好ましい。
【００６１】
これにより，前記手動操作レバー３１が前記油圧切換操作レバー３３の操作に連動して回動することに起因する安全性の低下を回避できる。これに加えて，前記手動操作レバー３１の前端部（握り部）を，平面視で内向きに折り曲げることにより，これに他物が引っ掛かることを回避するように構成している。
【００６２】
更にまた，前記走行機体２の後部のうち前記手動操作レバー３１よりも外側の部位には，簡易レバー３０が設けられている。
【００６３】
この簡易レバー３０は，前記両底面板１８，１９のはね上げ回動，或いは，前記集草ボックス１０及び前記両底面板１８，１９のはね上げ回動に連動して回動し，前記両底面板１８，１９の戻し回動，或いは，前記集草ボックス１０及び前記両底面板１８，１９の戻し回動に連動して逆方向に戻し回動するという構成である。
【００６４】
これによって，この簡易レバー３０の回動位置によって，前記両底面板１８，１９及び／又は前記集草ボックス１０の姿勢位置を確認することができるほか，この簡易レバー３０の回動操作によっても，前記両底面板１８，１９のはね上げ回動，或いは，前記集草ボックス１０及び前記両底面板１８，１９のはね上げ回動を行なうように構成することができる。
【符号の説明】
【００６５】
１                    芝刈機
２                    走行機体
３                    前輪
４                    後輪
５                    エンジン
８                    モア装置
８ａ                  モア装置の刈取草排出口
９                    モア装置の昇降用リンク機構
１０                  集草ボックス
１２                  排出ダクト
１３                  排出ダクトの天井板
１４ａ，１４ｂ        排出ダクトの側面板
１８                  出口側底面板
１９                  入口側底面板
２６ａ，２６ｂ        隙間
２７ａ，２７ｂ        リンク杆
【図１】
2011147388.tif 000003
【図２】
2011147388.tif 000004
【図３】
2011147388.tif 000005
【図４】
2011147388.tif 000006
【図５】
2011147388.tif 000007
【図６】
2011147388.tif 000008
【図７】
2011147388.tif 000009
【図８】
2011147388.tif 000010